【手続補正書】
【提出日】平成22年2月22日(2010.2.22)
【手続補正１】
【補正対象書類名】特許請求の範囲
【補正対象項目名】全文
【補正方法】変更
【補正の内容】
【特許請求の範囲】
【請求項１】
ＲＦ信号を受信して前記ＲＦ信号をベースバンドにダウンコンバートするように構成した無線周波数（ＲＦ）受信機回路であって、前記受信機回路が、
（ａ）前記ＲＦ信号からＩＦ信号へのＲＦ−ＩＦ変換のために構成したＲＦ−ＩＦ変換回路であって、前記ＲＦ−ＩＦ変換回路が、前記ＲＦ信号をバンドパスＩＦ信号にダウンコンバートするためのミキサ回路と、前記ミキサ回路に入力するためのＲＦ−ＩＦ混合信号を注入同期して発生するように構成した局部発振器回路であって、前記混合信号が基準周波数の第１の事前選択した高調波である周波数を有する局部発振器回路と、前記バンドパスＩＦ信号の前記帯域に前記ＩＦフィルタを事前同調し、そのように同調した時、前記バンドパスＩＦ信号をフィルタリングするように構成した同調式ＩＦフィルタ回路とを備えるＲＦ−ＩＦ変換回路と、
（ｂ）前記ＩＦ信号のＩＦ−ベースバンド変換のために構成したＩＦ−ベースバンド変換回路であって、前記ＩＦ−ベースバンド変換回路が、入力されるサンプリング信号のサンプリング周波数で動作するサブサンプリングおよびダウンコンバート回路を備え、前記サンプリング周波数が前記基準周波数の第２の事前選択した高調波であるＩＦ−ベースバンド変換回路と、
（ｃ）前記基準周波数の基準信号を発生するように構成した基準周波数発生源回路とを備え、
その際前記混合信号および前記サンプリング信号の各々が前記基準信号からその高調波として導出される無線周波数（ＲＦ）受信機回路。
【請求項２】
前記サブサンプリングおよびダウンコンバート回路がＩ／Ｑ複合信号成分サブサンプラを備える請求項１に記載の受信機回路。
【請求項３】
アナログデジタル回路と、マイクロコントローラを備えるデジタルベースバンド回路とを備える請求項２に記載の受信機回路。
【請求項４】
前記局部発振器回路を、前記局部発振器回路の同調帯域幅の十分範囲内にある注入同期周波数に事前同調して、前記基準信号の前記第１の事前選択した高調波による注入同期を可能にするように構成した選択的に動作する注入同期事前同調回路を備える請求項３に記載の受信機回路。
【請求項５】
前記注入同期事前同調回路が、前記ＲＦ信号をダウンコンバートするため前記デジタルベースバンド回路によって決定した選択可能なサンプリング周波数で前記サブサンプリングダウンコンバート回路を動作させ、前記デジタルベースバンド回路が前記ダウンコンバートしたＲＦ信号のエネルギーの大きさを決定するように構成したエネルギー検出構成要素を備え、その際前記選択可能なサンプリング周波数が、前記エネルギー検出構成要素によって決定した前記エネルギーの大きさに基づいて前記注入同期周波数と区別できるエイリアス帯域を生じるように選択される請求項４に記載の受信機回路。
【請求項６】
前記同調式ＩＦフィルタ回路が、前記同調式ＩＦフィルタ回路の中心周波数パラメータを同調するように構成される請求項１に記載の受信機回路。
【請求項７】
前記同調式ＩＦフィルタ回路が、前記同調式ＩＦフィルタ回路の中心周波数パラメータとＱパラメータとの両方を同調するように構成される請求項１に記載の受信機回路。
【請求項８】
前記同調式ＩＦフィルタ回路が、前記同調式ＩＦフィルタ回路で使用するホワイトノイズ信号を発生して前記同調式ＩＦフィルタ回路に選択的に入力するように構成したノイズ発生器を備える請求項１に記載の受信機回路。
【請求項９】
前記基準周波数発生源回路がシンセサイザであり、前記基準周波数が前記マイクロコントローラによって選択可能である請求項１に記載の受信機回路。
【請求項１０】
前記第１の事前選択した高調波が９次であり前記第２の事前選択した高調波が２次である請求項１に記載の受信機回路。
【請求項１１】
ＲＦ信号を受信して前記ＲＦ信号をベースバンドにダウンコンバートするための方法であって、前記方法が、
（ａ）前記ＲＦ−ＩＦダウンコンバートで使用するための、基準周波数の第１の事前選択した高調波である周波数を有する混合信号を発生する注入同期局部発振器回路を使用するステップを含むバンドパスＩＦ信号に前記ＲＦ信号をダウンコンバートするステップであって、同調式ＩＦフィルタ回路を前記バンドパスＩＦ信号の前記帯域に事前同調し、そのように同調した時、前記バンドパスＩＦ信号をフィルタリングするステップと、
（ｂ）前記基準周波数の第２の事前選択した高調波であるサンプリング信号のサンプリング周波数で前記ＩＦ信号をサブサンプリングするステップを含む、前記ＩＦ信号をベースバンド信号にダウンコンバートするステップと、
（ｃ）前記基準周波数の基準信号を生成するステップと、
を備え、
前記混合信号および前記サンプリング信号のそれぞれは、前記基準信号からその高調波として導出される方法。
【請求項１２】
前記サブサンプリングが複合化である請求項１１に記載の方法。
【請求項１３】
前記局部発振器回路を、前記局部発振器回路の同調帯域幅の十分範囲内の注入同期周波数に事前同調して前記基準周波数の前記第１の事前選択した高調波による注入同期を可能にするステップを備える請求項１２に記載の方法。
【請求項１４】
前記局部発振器回路を前記事前同調するステップが、反復的に、（ｉ）前記ダウンコンバートしたＲＦ信号の大きさに基づいて前記注入同期周波数と区別できるエイリアス帯域を生じるように選択したサンプリング周波数で前記サブサンプリングを実行するステップと、（ｉｉ）前記注入同期周波数が前記決定したエネルギーの大きさによって区別されるまで前記ダウンコンバートしたＲＦ信号の前記エネルギーの大きさを決定するステップとを備える請求項１３に記載の方法。
【請求項１５】
同調式ＩＦフィルタ回路を事前同調する前記ステップが、
（ａ）前記同調式ＩＦフィルタ回路の中心周波数パラメータを同調するステップと、
（ｂ）前記同調式ＩＦフィルタ回路の中心周波数パラメータとＱパラメータとの両方を同調するステップと、
（ｃ）ホワイトノイズ信号を発生して前記同調式ＩＦフィルタ回路に選択的に入力するステップと、
のうちのいずれか１つを含む請求項１１に記載の方法。
【手続補正２】
【補正対象書類名】明細書
【補正対象項目名】０００６
【補正方法】変更
【補正の内容】
【０００６】
特許請求対象の受信機アーキテクチャの諸態様は、無線周波数（ＲＦ）受信機回路と、ＲＦ信号をベースバンドにダウンコンバートする方法とを提供する。ＲＦ信号からＩＦ信号へのＲＦ−ＩＦ変換のために構成したＲＦ−ＩＦ変換回路は、ＲＦ信号をバンドパスＩＦ信号にダウンコンバートするためのミキサ回路を備える。局部発振器回路は、注入同期を行い、ミキサ回路に入力するためのＲＦ−ＩＦ混合信号を発生するように構成し、この混合信号は、基準周波数の第１の事前選択した高調波（例えば９次）である周波数を有する。同調式ＩＦフィルタ回路は、ＩＦフィルタの（例えば中心周波数パラメータおよび／またはＱパラメータ）をバンドパスＩＦ信号の帯域に事前同調し、そのように同調した時、バンドパスＩＦ信号をフィルタリングするように構成する。ＩＦ信号のＩＦ−ベースバンド変換のために構成したＩＦ−ベースバンド変換回路は、入力されるサンプリング信号のサンプリング周波数で動作するサブサンプリングおよびダウンコンバート回路を備え、このサンプリング周波数は基準周波数の第２の事前選択した高調波（例えば２次）である。基準周波数発生源回路（例えばシンセサイザ）は、基準周波数の基準信号を発生するように構成し、その際ミキシング信号およびサンプリング信号は、基準周波数からその高調波として導出される。
【手続補正３】
【補正対象書類名】図面
【補正対象項目名】図１
【補正方法】変更
【補正の内容】
【図１】
2009529840.tif 000001